(57)【要約】【課題】  遊技盤面に設けた可動部の演出動作を斬新なものとして遊技者に強いインパクトを与え、遊技の興趣を高める。【解決手段】  遊技領域１０１のほぼ中央に配置された役物装置１０５に、役物装置１０５を装飾するための下部装飾部品２１０及び上部装飾部品２１２を備える装飾部品ユニット２００を設け、この装飾部品ユニット２００は、下部装飾部品２１０を固定的に取り付け、上部装飾部品２１２を分割線Ｌに沿って移動可能に取り付ける。役物装置１０５による演出動作では、下部装飾部品２１０及び上部装飾部品２１２が一体化した形状から、上部装飾部品２１２が分割線Ｌに沿って遊技領域１０１の右側領域へ移動し分割した形状に変形するため、斬新な演出動作が生み出される。【選択図】        図３
2006187330.tif 000002
【特許請求の範囲】
【請求項１】
遊技盤面に設けられ、その遊技盤面に露出された複数の構成部品を備えるとともにその複数の構成部品が組み合わせられて一体化した形状及び複数の構成部品における少なくとも１つが遊技盤面に沿って移動され分割した形状に変形可能とされたユニット部品と、
前記複数の構成部品における前記少なくとも１つの構成部品を前記遊技盤面に沿って移動させ、前記ユニット部品を前記一体化した形状及び前記分割した形状に変形させる移動手段と、
を有することを特徴とする遊技機。
【請求項２】
前記分割した形状のユニット部品が前記遊技盤面で占める面積は、前記一体化した形状のユニット部品が遊技盤面で占める面積よりも大きいことを特徴とする請求項１記載の遊技機。
【請求項３】
前記ユニット部品が、前記遊技盤面の略中央に配置された役物装置に設けられていることを特徴とする請求項１又は請求項２記載の遊技機。
【請求項４】
前記ユニット部品を前記一体化した形状から前記分割した形状に変化させるときは、前記少なくとも１つの構成部品を前記遊技盤面における右側領域へ移動させることを特徴とする請求項３記載の遊技機。
【請求項５】
前記複数の構成部品は、前記役物装置を装飾するための装飾部品とされていることを特徴とする請求項３又は請求項４記載の遊技機。
【請求項６】
前記役物装置に設けられ、遊技者にとって有利な遊技状態を展開するか否かの抽選に関する抽選表示及びその抽選に伴う演出に関する演出表示を含む表示を行う表示手段と、
前記表示手段の表示動作を制御する表示制御手段と、
前記表示手段に表示された被画像表示物の動作と前記ユニット部品の変形動作とが連動するよう前記表示制御手段及び前記移動手段を制御する動作制御手段と、
を有することを特徴とする請求項３〜請求項５の何れか１項記載の遊技機。
【請求項７】
前記複数の構成部品は、前記一体化した形状では前記表示手段を取り囲む枠状に形成されるとともに、前記少なくとも１つの構成部品と前記他の構成部品との間に前記表示手段に掛かる分割線を備え、その分割線に沿って１つの構成部品が他の構成部品に対して相対移動し、
前記被画像表示物は、前記１つの構成部品に対応する表示領域が前記分割線に沿って１つの構成部品と同方向へ移動することを特徴とする請求項６記載の遊技機。
【発明の詳細な説明】
【技術分野】
【０００１】
本発明は、遊技機に係り、詳細には、遊技盤面に設けた可動部に演出動作をさせることで遊技の興趣を高めるようにした遊技機に関する。
【背景技術】
【０００２】
遊技盤面に設けられた遊技領域に遊技球を打ち込んで遊技を行うパチンコ機において、遊技領域の中央に「センター役物」等と呼ばれる可動式の電動役物装置を配置した機種では、この役物装置の可動部に様々な演出動作をさせることで遊技の興趣を高めるようにしている。
【０００３】
例えば、このような役物装置としては、図柄表示装置の周囲を回転するリング状の回転体（第１の可動装飾体）に、回転体の回転（公転）に連動して回転（自転）する図柄表示回転体（第２の可動装飾体）を複数設けたもの（例えば、特許文献１参照）、あるいは、図柄表示装置が表示する被画像表示物（人物）の動作に連動させて可動体を上下動させるもの（例えば、特許文献２参照）、あるいは、表示部に表示された図柄抽選結果の特定部を、上下動する可動体によって指し示すもの（例えば、特許文献３参照）がある。
【特許文献１】特開２００３−７９８３６号公報
【特許文献２】特開２００４−６５５２８号公報
【特許文献３】特開２００３−２３６０８８号公報
【発明の開示】
【発明が解決しようとする課題】
【０００４】
しかしながら、上述した特許文献１の役物装置では、リング状の回転体を図柄表示装置よりも大きくして可動部を大型化しているものの、このような回転動作を取り入れた可動部は回転表示装置等で一般的に用いられているものであり、演出動作として斬新性に欠ける。また、特許文献２及び３の場合は、図柄表示装置による演出表示や図柄抽選結果の表示と、可動体の動作とに関連を持たせているが、可動体の使い方としては、表示された人物や特定部等の限定された小さな表示対象と組み合わせたもので、表示対象を補助するものである。そのため、可動体自体が小型であるとともに装置全体に占める動作範囲が非常に小さく、さらにその動作は上下動等で単調であるため、可動体の動作で表現される演出の視覚的なインパクトが弱い。
【０００５】
本発明は上記事実を考慮して、遊技盤面に設けた可動部の演出動作を斬新なものとして遊技者に強いインパクトを与え、遊技の興趣を高めることができる遊技機を提供することを課題とする。
【課題を解決するための手段】
【０００６】
上記目的を達成するために請求項１に記載の発明は、遊技盤面に設けられ、その遊技盤面に露出された複数の構成部品を備えるとともにその複数の構成部品が組み合わせられて一体化した形状及び複数の構成部品における少なくとも１つが遊技盤面に沿って移動され分割した形状に変形可能とされたユニット部品と、前記複数の構成部品における前記少なくとも１つの構成部品を前記遊技盤面に沿って移動させ、前記ユニット部品を前記一体化した形状及び前記分割した形状に変形させる移動手段と、を有することを特徴としている。
【０００７】
請求項１に記載の発明では、遊技盤面に設けられたユニット部品は、遊技盤面に露出された複数の構成部品を備え、その複数の構成部品における少なくとも１つの構成部品が移動手段により遊技盤面に沿って移動されることで、複数の構成部品が組み合わせられて一体化した形状、及び、分割した形状に変形される。
【０００８】
このように、遊技盤面に露出した複数の構成部品における少なくとも１つが可動するこのユニット部品では、可動部（少なくとも１つの構成部品）が遊技盤面に沿って移動することで、一体化した形状、及び、分割した形状に変形するという斬新な演出動作をするようになり、このユニット部品の変形動作を目視する遊技者に対して視覚的に強いインパクトが与えられるようになる。
【０００９】
請求項２に記載の発明は、請求項１記載の遊技機において、前記分割した形状のユニット部品が前記遊技盤面で占める面積は、前記一体化した形状のユニット部品が遊技盤面で占める面積よりも大きいことを特徴としている。
【００１０】
請求項２に記載の発明では、ユニット部品は一体化した形状から分割した形状へ変形する際に、例えば構成部品が移動する分だけ遊技盤面で占める面積が拡大される。このように、ユニット部品が分割変形に伴って遊技盤面での占有面積を拡大させることにより、分割変形時の視覚効果を増大させることができ、遊技者に対して更に強いインパクトが与えられるようになる。
【００１１】
請求項３に記載の発明は、請求項１又は請求項２記載の遊技機において、前記ユニット部品が、前記遊技盤面の略中央に配置された役物装置に設けられていることを特徴としている。
【００１２】
請求項３に記載の発明では、上記のユニット部品を遊技盤面の略中央に配置された役物装置に設けることにより、ユニット部品の変形による演出動作が遊技盤面の略中央において行われる。このように、遊技者の視線が集中しやすい遊技盤面の略中央で斬新な演出動作を行うことにより、視覚効果を増すことができ、遊技者の興味を強く引き付けられるようになる。
【００１３】
また、通常、遊技盤面の略中央に配置される役物装置は、遊技盤面の他の領域に設けられる他の部品よりも大型であるため、ユニット部品の大型化も容易となる。このように、大きなユニット部品を変形させる演出動作であれば、視覚効果を更に増すことができて、遊技者に与えるインパクトが更に強められる。
【００１４】
請求項４に記載の発明は、請求項３記載の遊技機において、前記ユニット部品を前記一体化した形状から前記分割した形状に変化させるときは、前記少なくとも１つの構成部品を前記遊技盤面における右側領域へ移動させることを特徴としている。
【００１５】
請求項４に記載の発明では、例えば、遊技球を遊技盤面の左側から盤面上部に打ち込み自重落下させて遊技を行う遊技機では、一般的に、遊技球が遊技盤面における左側領域を落下するように発射力を調整し、その左側領域を使って遊技が行われる。そのため、遊技盤面の右側領域は、左側領域よりも遊技における重要性が低くなる。この遊技盤面の右側領域を利用して、ユニット部品の変形動作を行うことにより、可動部（少なくとも１つの構成部品）の移動距離を大きくしたり、可動部に複雑な移動をさせるなどが容易となり、ユニット部品の変形動作（可動部の移動）における自由度が高まる。これにより、興趣の高い演出を生み出すことができる。
【００１６】
請求項５に記載の発明は、請求項３又は請求項４記載の遊技機において、前記複数の構成部品は、前記役物装置を装飾するための装飾部品とされていることを特徴としている。
【００１７】
請求項５に記載の発明では、複数の構成部品を装飾部品として、役物装置の装飾性を高めつつ、その装飾部品を使って演出動作を行うことにより、演出の視覚効果が更に高められる。
【００１８】
請求項６に記載の発明は、請求項３〜請求項５の何れか１項記載の遊技機において、記役物装置に設けられ、遊技者にとって有利な遊技状態を展開するか否かの抽選に関する抽選表示及びその抽選に伴う演出に関する演出表示を含む表示を行う表示手段と、前記表示手段の表示動作を制御する表示制御手段と、前記表示手段に表示された被画像表示物の動作と前記ユニット部品の変形動作とが連動するよう前記表示制御手段及び前記移動手段を制御する動作制御手段と、を有することを特徴としている。
【００１９】
請求項６に記載の発明では、役物装置に設けられた表示手段は、表示制御手段により制御されて、遊技者にとって有利な遊技状態を展開するか否かの抽選に関する抽選表示及びその抽選に伴う演出に関する演出表示を含む表示を行い、この表示では、例えば被画像表示物が移動、回転、停止するなどの様々な動作を行う。また、動作制御手段は、表示制御手段及び移動手段を制御して、表示手段に表示された被画像表示物の動作と、ユニット部品の変形動作とを連動させる。このように、ユニット部品の変形動作に、表示手段に表示された被画像表示物の動作を連動させることで、各動作の相乗効果により視覚効果及び演出性が更に高められる。
【００２０】
請求項７に記載の発明は、請求項６記載の遊技機において、前記複数の構成部品は、前記一体化した形状では前記表示手段を取り囲む枠状に形成されるとともに、前記少なくとも１つの構成部品と前記他の構成部品との間に前記表示手段に掛かる分割線を備え、その分割線に沿って１つの構成部品が他の構成部品に対して相対移動し、前記被画像表示物は、前記１つの構成部品に対応する表示領域が前記分割線に沿って１つの構成部品と同方向へ移動することを特徴としている。
【００２１】
請求項７に記載の発明では、一体化した形状では枠状に形成されて、役物装置に設けられた表示手段を取り囲む複数の構成部品は、分割時の変形動作で、少なくとも１つの構成部品が他の構成部品との間に設けられた分割線に沿って他の構成部品に対して相対移動する。また、表示手段に表示された被画像表示物は、この少なくとも１つの構成部品に連動して、１つの構成部品に対応する表示領域が分割線に沿って１つの構成部品と同方向へ移動する。
【００２２】
これにより、一体化された複数の構成部品が分割されるのに伴い、表示装置も分割されるような視覚効果が得られ、遊技者に対して役物装置全体が分解するような印象を与える斬新な演出を生み出すことができる。
【発明の効果】
【００２３】
本発明の遊技機は上記構成としたので、遊技盤面に設けた可動部の演出動作が斬新なものとなって遊技者に強いインパクトを与ることができ、遊技の興趣が高められる。
【発明を実施するための最良の形態】
【００２４】
以下、本発明の実施形態に係るパチンコ機について図面を参照して説明する。
【００２５】
（パチンコ機の構成）
図１には本発明の一実施形態に係るパチンコ機が示され、図２には本実施形態に係るパチンコ機に適用される内枠、ガラス枠、及び遊技盤が示されている。
【００２６】
図１に示されるように、パチンコ機１０は、パチンコ機１０の外郭を構成するとともにパチンコホールの島設備に設置される矩形状の外枠１２を備えている。外枠１２の前面には矩形額縁状の内枠１４が配置されており（図２参照）、内枠１４は、外枠１２に設けられた一対のヒンジ部１６、１８に左側端部が軸支されて開閉可能に取り付けられている。また外枠１２の前面下部には、化粧パネルとなる下飾り２０が取り付けられている。
【００２７】
内枠１４の前面上部には、ガラス板２２を装着したガラスフレーム２４を窓部２５に備えるガラス枠２６が配置されており、ガラス枠２６は左側端部が内枠１４に軸支されて開閉可能に取り付けられている。また、ガラスフレーム２４に装着されたガラス板２２は、図１の紙面奥行き方向に所定の間隔で互いに平行に配置された一対のガラス板からなる二重構造となっている。このガラス枠２６の裏面側となる内枠１４の上部には、矩形状の開口部２８が設けられている（図２参照）。開口部２８には、交換可能とされた遊技盤１００がセットされており、遊技盤１００は、ガラス枠２６を内枠１４に閉塞した状態でガラス枠２６（ガラス板２２）に覆われるようになっている。
【００２８】
ガラス枠２６の前面には、遊技の進行に応じて点灯、消灯、及び点滅し照明による演出効果を生み出す照明演出用の表示灯１４２がガラス板２２（遊技盤１００の遊技領域１０１）を取り囲むように配置されており、さらに左上隅及び右上隅には、賞球払出エラー及び払出状態エラー等の各種エラーを報知するエラー用の表示灯１４４が配置されている。また、各エラー用の表示灯１４４の内側には、遊技の効果音をステレオ出力するスピーカー１４６Ｌ、１４６Ｒが配設されている。
【００２９】
内枠１４の前面下部には、一般的な上皿及び下皿の機能を兼ね備える打球供給皿としての一体皿３０が配置されている。一体皿３０は、パネル部材３２の左側端部が内枠１４に軸支されて開閉可能に取り付けられており、パネル部材３２の前面には、上部に遊技球を貯える球皿部３４が形成された球皿本体３６が突設されている。
【００３０】
球皿部３４の底面は、正面視にて左側から右側へ下り傾斜しており、その傾斜方向下流側となる左側には、遊技球を１列に整列してパネル部材３２の裏面に配置された球送り装置（図示省略）に送り込むための整列通路が設けられている。パネル部材３２の前面の右側上部には、パチンコ機１０内に設けられた賞球払出装置（図示省略）から払い出された賞球が排出される賞球排出口４６が形成されている。この賞球排出口４６から排出された賞球は球皿部３４に貯留され、球皿部３４内を左方向へ流下し整列通路により１列に整列されて球送り装置に送り込まれる。
【００３１】
また、パネル部材３２の前面における左側下部には灰皿３８が設けられ、右側下部には打球の発射力（飛距離）を調整するための発射ハンドル３９が取り付けられている。
【００３２】
図２に示されるように、内枠１４の前面下部における一体皿３０の裏面側には、遊技盤１００の左下に発射装置４０が配置され、球皿本体３６の後方に位置して、内枠１４に着脱可能に構成された貯球タンク４２が２個のプラスチックファスナー４３によって取り付けられている。これらの発射装置４０及び貯球タンク４２は、一体皿３０を内枠１４に閉塞すると一体皿３０に覆われるようになっている。
【００３３】
貯球タンク４２は、上面が開口した箱型とされ、底面４４が正面視にて左側から右側へ下り傾斜している。底面４４の傾斜方向上流側となる貯球タンク４２の左側面部には図示しないタンク入口が形成され、傾斜方向下流側となる貯球タンク４２の前面右側端部には、一体皿３０のパネル部材３２に設けられた賞球排出口４６と対応する位置にタンク出口４５が形成されている。したがって、一体皿３０を内枠１４に閉塞した状態では、貯球タンク４２と一体皿３０の球皿部３４とが、タンク出口４５及び賞球排出口４６を介して連通される。
【００３４】
また、一体皿３０のパネル部材３２裏面における賞球排出口４６の下方位置と、内枠１４前面の下部右側におけるタンク出口４５の下方位置とには、上下方向に移動可能とされたシャッター板がそれぞれ設けられている（図２では内枠１４側のシャッター板５０のみを図示している）。これらのシャッター板は、一体皿３０が閉塞されると各々下方へ移動して（図２に示したシャッター板５０の位置）、タンク出口４５と賞球排出口４６とを連通させ、一体皿３０が開放されると各々上方へ移動して、内枠１４側のシャッター板５０はタンク出口４５の下縁側を、一体皿３０側のシャッター板は賞球排出口４６の下縁側を塞ぐよう構成されている。このシャッター板により、一体皿３０を開放した際は、貯球タンク４２及び球皿部３４から遊技球（賞球）が流出しないようせき止められる。
【００３５】
内枠１４裏面の左側端部（正面視右側端部）には、上下方向に延出された施錠装置５２が取り付けられている。施錠装置５２の下部にはシリンダー錠（錠前）５４が設けられており、シリンダー錠５４の鍵孔５６は、内枠１４前面の右下部に設けられた台座５５から露出されている。
【００３６】
施錠装置５２の裏面側における上下端部近傍には、後方へ突出された一対の内枠固定用フック６０Ａ、６０Ｂが設けられている。施錠装置５２の前面側におけるガラス枠２６との対応位置には、一対のガラス枠固定用フック６２Ａ、６２Ｂが設けられており、このガラス枠固定用フック６２Ａ、６２Ｂは、内枠１４前面の右側端部に形成されたスリット６４Ａ、６４Ｂを通して前方へ突出されている。また、施錠装置５２の前面側における一体皿３０との対応位置には、上下方向にスライドする一対の一体皿固定用鍵受け部材６６Ａ、６６Ｂが設けられている。
【００３７】
これにより、内枠１４を外枠１２に閉塞すると、施錠装置５２の内枠固定用フック６０Ａ、６０Ｂが外枠１２の正面視右内側面設けられた一対の鍵受け部（図示省略）に係合し、内枠１４は外枠１２に保持される。ガラス枠２６を内枠１４に閉塞すると、ガラス枠２６裏面の右側端部に取り付けられているガラス枠補強板６８に設けられた一対の鍵受け部７０Ａ、７０Ｂが施錠装置５２のガラス枠固定用フック６２Ａ、６２Ｂに係合し、ガラス枠２６は内枠１４に保持される。また、一体皿３０を内枠１４に閉塞すると、一体皿３０裏面の右側端部に取り付けられている一対のフック（図示省略）が施錠装置５２の一体皿固定用鍵受け部材６６Ａ、６６Ｂに係合し、一体皿３０は内枠１４に保持される。
【００３８】
また、内枠固定用フック６０Ａ、６０Ｂ及びガラス枠固定用フック６２Ａ、６２Ｂは、シリンダー錠５４の鍵孔５６に図示しない鍵を差し込んで所定の方向に回すことにより、それぞれ係合状態が解除され解錠されるようになっている。一体皿固定用鍵受け部材６６Ａ、６６Ｂは、ガラス枠２６を開放すると露出される施錠装置５２の解除レバー７２を押し下げることにより、一体皿固定用鍵受け部材６６Ａ、６６Ｂが下方へスライドして一体皿３０の各フックとの係合状態が解除されるようになっている。
【００３９】
この施錠装置５２により、内枠１４は外枠１２に、ガラス枠２６は内枠１４にそれぞれ施錠されるとともに、一体皿３０は内枠１４にロックされて、それぞれ閉塞状態に固定される。
【００４０】
（遊技盤の構成）
図２に示される遊技盤１００は、基板となるベニヤ板に樹脂製シート状のセルが貼着されてそのセルの表面が盤面１００Ａとなっており、盤面１００Ａの外周端部付近に、円弧状の外レール１０２及び内レール１０４が取り付けられている。これらの外レール１０２及び内レール１０４によって囲まれた円形状の領域は、発射装置４０から発射されて打ち込まれた遊技球が自重落下により移動可能とされ、この領域が遊技を行う遊技領域１０１とされている。
【００４１】
図３には、遊技盤１００に設けられた遊技領域１０１が示されている。図３に示されるように、この遊技領域１０１のほぼ中央には、略五角形状に形成された大型の役物装置（センター役物）１０５が設けられている。役物装置１０５は、役物装置１０５の前面部を構成して遊技盤１００の盤面１００Ａに露出されるとともに略中央が矩形状に開口された枠状の装飾部品ユニット２００を備え、装飾部品ユニット２００の開口の裏面側には、液晶表示器（ＬＣＤ）１０８の表示画面に特別図柄の抽選や各種演出等の画像（例えば擬人化された所謂演出用キャラクタ等）を無地、装飾、あるいは、自然風景などの背景画像とともに表示する特別図柄表示装置１０６が配置されている。なお、この役物装置１０５の構成の詳細については後述する。
【００４２】
遊技領域１０１における役物装置１０５の左側には、通過ゲート１１８が配置されており、役物装置１０５の右側には、空きスペースＳが設けられている。
【００４３】
役物装置１０５の真下には、特別図柄始動入賞口としての始動口（電動チューリップ）１１０が配置され、さらにその下方には、遊技領域１０１の下端部付近に位置して変動入賞装置（特別電動役物）１１２が配置されている。
【００４４】
変動入賞装置１１２は、左右幅方向を長手とした矩形状の大入賞口１１４を備え、大入賞口１１４内には通称「Ｖゾーン」と呼ばれる連続役物作動口（図示省略）が設けられている。大入賞口１１４は、開閉扉１１６が開放又は閉塞することによって開口又は閉口するようになっており、開閉扉１１６の開放時には、開閉扉１１６上に落下した遊技球が開閉扉１１６に案内されて大入賞口１１４へ入賞する。
【００４５】
また、遊技領域１０１には、風車１２２や遊技領域１０１内を自重落下する遊技球を所定の経路に誘導する多数の遊技釘１２３が設けられており、最下位置に、外れ球を遊技盤１００の裏側へ排出するアウト口１２４が設けられている。
【００４６】
（役物装置の構成）
次に、図４〜図７を用いて役物装置１０５の構成について説明する。
【００４７】
前述したように、本実施形態の役物装置１０５には、役物装置１０５を装飾するための装飾部品ユニット２００が設けられている。装飾部品ユニット２００は、図４及び図５に示されるように、遊技盤１００の裏面に取り付けられたセット板２０２の前面に配置されている。また、装飾部品ユニット２００の裏面側に配置されている特別図柄表示装置１０６の液晶表示器１０８は、このセット板２０２の裏面に取り付けられている。
【００４８】
セット板２０２には、液晶表示器１０８の表示画面と対応する部位に、矩形状の開口２０４が形成されており、開口２０４には透明樹脂製の保護板２０６が嵌め込まれている。液晶表示器１０８の表示画面は、この保護板２０６を通して前方から視認可能とされている。
【００４９】
装飾部品ユニット２００は、セット板２０２の前面、及び、遊技盤１００に形成された開口２０８に固定的に取り付けられて装飾部品ユニット２００の下部側を構成する下部装飾部品２１０と、セット板２０２の前面に移動可能に取り付けられて装飾部品ユニット２００の上部側を構成する上部装飾部品２１２とを備えている。
【００５０】
この装飾部品ユニット２００を正面視すると、図３に示されるように、下部装飾部品２１０と上部装飾部品２１２との間には、略五角形状の装飾部品ユニット２００の略左上角部から略右下角部へ直線状に延出されるとともに、液晶表示器１０８の表示画面を上辺の左部から右辺の下部に掛けて横断する分割線（対角線）Ｌが設けられ、この分割線Ｌを境界として、下部装飾部品２１０は装飾部品ユニット２００における左下側を、上部装飾部品２１２は装飾部品ユニット２００における右上側を占めている。
【００５１】
また、この装飾部品ユニット２００は、下部装飾部品２１０よりも上部装飾部品２１２の方が遊技盤１００の盤面１００Ａに露出された露出面積が少し大きくされており、図３では、下部装飾部品２１０及び上部装飾部品２１２が組み合わせられて一体化し、液晶表示器１０８を取り囲む枠状に形成された状態とされている。
【００５２】
図６には、上部装飾部品２１２を移動させるための移動機構が示されている。図６に示されるように、この移動機構には、駆動源としてステッピングモータ２１４が設けられている。ステッピングモータ２１４は、図４及び図５に示されるように、モータ本体２１６の外周面における前縁上部から突出された取付片２１８がセット板２０２の裏面に突設されたボス２２０に固定されて、セット板２０２の裏面側に配置されている。また、モータ本体２１６の前面から前方へ突出されたモータ軸２２２の先端部には駆動ギア２２４が取り付けられており、この駆動ギア２２４には、セット板２０２に回転自在に取り付けられてセット板２０２の裏面側に配置された大径ギア２２６が噛み合っている。
【００５３】
大径ギア２２６は、その軸心部に形成された貫通孔に回転軸２２８の後端部が嵌入され、回転軸２２８がセット板２０２に設けられた円筒状の軸受け２３０に挿通されて、セット板２０２に回転自在に取り付けられている。軸受け２３０を貫通してセット板２０２の前面側に突出された回転軸２２８の前端部には、小径ギア２３２が取り付けられている。この小径ギア２３２には、小径ギア２３２の下方に配置されてセット板２０２に回転自在に取り付けられた下ギア２３４、及び、小径ギア２３２の上方に配置されてセット板２０２に回転自在に取り付けられた中間ギア２３６が噛み合っている。また、中間ギア２３６には、下ギア２３４の上方に所定の間隔で配置されセット板２０２に回転自在に取り付けられた、下ギア２３４と同一構成の上ギア２３８が噛み合っている。
【００５４】
これにより、ステッピングモータ２１４が駆動してモータ軸２２２を回転させると、駆動ギア２２４の回転力が大径ギア２２６から小径ギア２３２に伝達され、さらに、小径ギア２３２から下ギア２３４へ、また、小径ギア２３２から中間ギア２３６を介して上ギア２３８へ伝達され、下ギア２３４と上ギア２３８とが同じ回転速度（回転角）で互いに逆方向に回転する。
【００５５】
可動構成とされた上部装飾部品２１２の上部には、図４及び図５に示されるように、前面が開口した空洞部２５０が設けられている。この空洞部２５０の前面開口には、光透過性を有する合成樹脂製のレンズ部材２５２が嵌め込まれている。また、空洞部２５０内には、レンズ部材２５２と平行な向きにランプ基板２５４が取り付けられている。このランプ基板２５４の前面には、複数のＬＥＤ（発光素子）２５６が実装されており、各ＬＥＤ２５６はケーブル２５８を介して電力が供給され、遊技の進行に応じて点灯、消灯、及び点滅するよう発光制御される。
【００５６】
この上部装飾部品２１２は、セット板２０２と上部装飾部品２１２との間に設けた汎用のスライドレール等を介して、あるいは、セット板２０２及び上部装飾部品２１２の一方に形成された長溝及び他方に設けられて長溝に嵌合する突起部等の組み合わせで構成されるガイド機構等を介して、セット板２０２の前面に取り付けられている。上部装飾部品２１２は、この図示しないスライドレールやガイド機構等により、遊技盤１００の盤面１００Ａに沿って分割線Ｌと平行に図３の矢印Ａ方向及びその逆方向へ移動可能とされている。
【００５７】
上部装飾部品２１２の裏面には、図４〜図６に示されるように、所定の間隔で平行に配置された一対のラック２４０、２４２が形成されている。これらのラック２４０、２４２は、分割線Ｌ上に位置する上部装飾部品２１２の下縁２４４と平行な向きに延出されており、上部装飾部品２１２を正面から透視すると上部装飾部品２１２の左上から右下方向へ延出され（図示省略）、上部装飾部品２１２を裏面から見ると、図７に示されるように、上部装飾部品２１２裏面の右上から左下方向へ延出されている。なお、この図７では、上部装飾部品２１２、ラック２４０、２４２、小径ギア２３２、下ギア２３４、中間ギア２３６、上ギア２３８、及び下部装飾部品２１０を裏面側から見た状態が示されており、液晶表示器１０８はその輪郭を想像線（二点鎖線）で示している。
【００５８】
この上部装飾部品２１２をセット板２０２に取り付けると、下側のラック２４０の上面に形成されたラックギアは下ギア２３４に噛み合い、上側のラック２４２の下面に形成されたラックギアは上ギア２３８に噛み合う。これにより、上部装飾部品２１２は、上述した下ギア２３４及び上ギア２３８の回転に伴って一対のラック２４０、２４２に移動力が伝達され、図７（Ａ）及び（Ｂ）に示されるように、分割線Ｌと平行に図３の矢印Ａ方向及びその逆方向へ移動する。
【００５９】
（制御系の構成）
次に、図８を用いてパチンコ機１０の制御系について説明する。図８に示されるように、本実施形態に係るパチンコ機１０の制御系は、主制御基板１５０を中心として、払出制御基板１５２、音声制御基板１５４、ランプ制御基板１５６、発射制御基板１５８、表示制御基板１６０等、機能毎に分類されており、各基板は主制御基板１５０にそれぞれ接続されている。なお、以下これらを総称する場合、副制御基板１５１という。
【００６０】
主制御基板１５０には、遊技に関する基本的なプログラムが記憶されている。この主制御基板１５０からの命令信号に基づいて、副制御基板１５１は独自に各部を制御し、このように、主制御基板１５０は基本的に命令信号を出力するのみで、その結果等のフィードバックは受けない構成となっている。
【００６１】
また、主制御基板１５０並びに副制御基板１５１は、管理制御基板１７０を介してパチンコ店側のホールコンピュータ１７２に接続することができ、これにより、パチンコ機１０の稼動状況を管理することも可能となっている。
【００６２】
以下、副制御基板１５１の制御内容について説明すると、払出制御基板１５２は、パチンコ機１０内に設けられた賞球払出装置１８０を作動させて、賞球又は貸し球の払い出し及び停止動作と払出数を制御する。音声制御基板１５４は、ガラス枠２６前面に設けられたスピーカー１４６Ｌ、１４６Ｒを作動させて効果音等の出力を制御し、ランプ制御基板１５６は、ガラス枠２６に設けられた照明演出用の表示灯１４２及びエラー用の表示灯１４４、並びに、遊技盤１００の各種遊技部品に設けられた照明演出用のランプ、及び、役物装置１０５の上部装飾部品２１２に設けられた照明演出用のＬＥＤ２５６の点灯、消灯、及び点滅を制御する。発射制御基板１５８は、遊技者による発射ハンドル３９の操作により発射装置４０を作動させて遊技球の発射を制御する。表示制御基板１６０は、表示ドライバ１８２を介して特別図柄表示装置１０６に表示する特別図柄抽選や各種演出等の画像（映像）の表示内容を制御する。
【００６３】
また、特別図柄の抽選では、主制御基板１５０において、乱数カウンタを用い所定確率のもとに当たり／外れを決定する抽選処理が各々実行され、主制御基板１５０はその抽選結果に基づく判定信号を表示制御基板１６０へ出力する。表示制御基板１６０では、予め記憶されている複数種類の図柄変動パターンや演出デモンストレーション等の表示内容データの中から、入力された判定信号に対応する表示内容データが選択される。特別図柄表示装置１０６は、その表示内容データに基づく信号が表示制御基板１６０から入力されて作動するようになっている。
【００６４】
また、主制御基板１５０には、遊技盤１００に設けられた各種遊技部品の駆動源や入賞球を検出するセンサ類が接続されている。
【００６５】
駆動源としては、始動口１１０（電動チューリップ）を作動させるソレノイド１８４、大入賞口１１４の開閉扉１１６を開放／閉塞させるソレノイド１８６、及び、役物装置１０５に設けられた装飾部品ユニット２００の上部装飾部品２１２を移動させるステッピングモータ２１４がそれぞれ接続されており、これらのソレノイド１８４、１８６、及びステッピングモータ２１４は、主制御基板１５０からそれぞれ制御信号が入力され駆動制御される。
【００６６】
また、入賞検出センサとしては、始動口１１０への入賞球を検出する始動口入賞センサ１９０、通過ゲート１１８への入賞を検出する通過ゲート入賞センサ１９１、大入賞口１１４への入賞球を検出する大入賞口センサ１９２、大入賞口１１４内のＶゾーンへの入賞球を検出するＶゾーンセンサ１９４がそれぞれ接続されており、これらの各センサは、入賞球の検出時にその検出信号を主制御基板１５０へ出力する。そしてこれらの検出信号に基づき、主制御基板１５０が副制御基板１５１及び上記駆動源へ各種信号を出力することにより、パチンコ機１０は所定の動作をするようになっている。
【００６７】
（パチンコ機の遊技仕様）
パチンコ機１０による遊技では、遊技者が発射ハンドル３９を操作すると、一体皿３０の球皿部３４に貯えられている遊技球は球送り装置により一球づつ発射装置４０に供給され、発射装置４０によって上方へ発射される。発射された遊技球は、外レール１０２に沿って遊技盤１００の遊技領域１０１に打ち込まれ、遊技釘１２３に当たり方向を変えながら遊技領域１０１内を落下する。そして、入賞せずに遊技領域１０１の下端部に至った遊技球はアウト口１２４からパチンコ機１０内に回収される。
【００６８】
また、遊技球が通過ゲート１１８を通過すると、始動口１１０（電動チューリップ）が所定時間開放され、遊技球が始動口１１０に入賞しやすい状態となる。
【００６９】
また、始動口１１０へ入賞すると、主制御基板１５０において当たり／外れの抽選処理が実行され、その抽選結果は、特別図柄表示装置１０６の表示画面に、配列された複数の特別図柄が所定のパターンで変動されその変動パターンを経た停止図柄の組み合わせによって表示される。なお、この特別図柄の変動パターンには、例えば、リーチを経た当たり図柄の表示又は外れ図柄の表示、あるいはリーチなしの外れ図柄表示など、様々な演出や趣向を加味した数多くのパターンが用意されており、遊技者は、それらの演出を受け特別図柄の抽選結果を期待感も持って観察する。
【００７０】
そして、抽選結果が「大当たり」となった場合は、特別図柄表示装置１０６の表示画面に、例えば、リーチ・アクションを経て「２２２」等の予め定められた所定の当たり図柄の組み合わせが表示されるとともに、照明演出用の表示灯１４２及び役物装置１０５のＬＥＤ２５６の点滅やスピーカー１４６Ｌ、１４６Ｒからの効果音出力などによる演出を加えて、大当たりが発生したことを遊技者に報知し、所定の大当たり動作を実行する。
【００７１】
大当たり動作としては、開閉扉１１６の開閉動作によって大入賞口１１４が例えば１０カウント（入賞個数）又は最大３０秒間（１回の開放時間）／最高１６ラウンド（継続回数）開放されるとともに、１回の大入賞口１１４開放時に大入賞口１１４内のＶゾーンへの入賞を果たすことで次ラウンドを継続するといった動作が行われる。これにより、遊技者は、発射した遊技球を大入賞口１１４へ容易に入賞させ、例えば入賞１個当たり１５個の払い出しを受けるなどして、大量の賞球を獲得できるようになる。またこのときは、賞球払出装置１８０が作動して所定数の賞球を払い出し、その払い出された賞球は、球排出口４６から一体皿３０の球皿部３４に排出される。
【００７２】
また、当たり図柄が、例えば「７７７」等の予め定められた特定の図柄の組み合わせとなった場合には、上述した大当たり動作の終了後に、次の大当たり確率がアップする「確率変動機能」、あるいは大当たり確率は変わらないが図柄の変動時間が短縮されて球持ちをよくする「時短機能」といった付加機能が作動して、遊技者にとって有利な遊技状態が展開される。
【００７３】
（役物装置の演出動作）
次に、本実施形態の役物装置１０５による演出動作について説明する。なお、この役物装置１０５による演出動作は、パチンコ機１０による遊技において、例えば期待値アップ、リーチ、大当たり等の特定状態になったときに実行されものであり、ここでは、リーチ後に外れが確定したときに行う演出動作を例に説明する。
【００７４】
上述したように、遊技中に始動口１１０への入賞を果たすと、特別図柄表示装置１０６の表示画面に、図柄を変動させる抽選表示が映し出される。この抽選表示の結果が、図９に示されるように、左右の図柄が「７」で揃ってリーチとなり（「７＊７」）、最後に停止する中央の図柄が「５」から「６」に変移する途中で停止した場合、外れとなる。
【００７５】
このように、特別図柄表示装置１０６による抽選表示で、リーチ後に外れの確定が表示された場合、その外れ確定を表示した（中央の図柄が停止した）タイミングで、主制御基板１５０は、リーチ後の外れにおける演出動作を実行するための判定信号（コマンド）を表示制御基板１６０に送信し、また、ステッピングモータ２１４に制御信号を出力してステッピングモータ２１４を駆動制御する。
【００７６】
先ず、上記の判定信号を受信した表示制御基板１６０は、予め記憶されている複数種類の図柄変動パターンや演出デモンストレーション等の表示内容データの中から、入力された判定信号に対応する、リーチ後の外れの演出デモンストレーションの表示内容データを選択し、その表示内容データに基づく信号を表示ドライバ１８２を介して表示制御基板１６０に出力する。
【００７７】
この信号が入力されて作動する特別図柄表示装置１０６の表示画面には、背景色に対して高コントラストとなる色彩で、あるいは、背景の輝度よりも高輝度で、分割線Ｌと一致する斜線Ｋを所定時間（例えば１〜２秒）表示する。また、この斜線Ｋの表示は、例えば、斜線Ｋが左上から右下に向けて瞬時に描かれるような表示としてもよく、その場合には、特別図柄表示装置１０６が刀等で斬られたような視覚効果が得られる。
【００７８】
この斜線Ｋの表示後は、主制御基板１５０がステッピングモータ２１４を所定の回転方向へ駆動制御して役物装置１０５の上部装飾部品２１２を右斜め下方へ、すなわち、遊技領域１０１の右側領域へ移動させ（図９の矢印Ａ方向）、図１０に示されるように、上部装飾部品２１２の右側部分を空きスペースＳ（図３参照）に進入させる。これにより、役物装置１０５に設けられた装飾部品ユニット２００は、下部装飾部品２１０及び上部装飾部品２１２が組み合わせられて一体化した形状（枠状）から、分割した形状に変形する。また、この装飾部品ユニット２００の分割変形によって、役物装置１０５は遊技盤１００の盤面１００Ａ上で幅方向へ広がり、移動前の下部装飾部品２１０が重なっていた、すなわち、下部装飾部品２１０の裏面側に位置して隠蔽されていたベース部分（図４のセット板２０２）が露出され、遊技盤面で占める面積が視覚的に拡大される。
【００７９】
また、特別図柄表示装置１０６に表示された被画像表示物（外れを表示した停止図柄及び背景画像）は、この上部装飾部品２１２の移動に連動して、上部装飾部品２１２に対応する表示領域が分割線Ｌ（斜線Ｋ）に沿って上部装飾部品２１２と同方向へ移動する。ここでは、図１０に示されるように、分割線Ｌの右上側の表示領域が上部装飾部品２１２の移動に同期して右斜め下方へ移動し、この場合、その分割線Ｌの右上側の表示領域に位置する中央の停止図柄「６」の上側部分及び右側の停止図柄「７」の上側部分とその背景画像とが右斜め下方へずれる。
【００８０】
これにより、役物装置１０５が分割線Ｌに沿って刀等で斜めに斬られ、その斬り口の上側部分が、すなわち、上部装飾部品２１２及び特別図柄表示装置１０６の右上側が斬り落とされたような演出効果が生み出される。
【００８１】
また、この役物装置１０５による演出動作後は、上部装飾部品２１２及び被画像表示物が上記の分割状態で所定時間（例えば数秒間）停止され、その所定時間経過後に、主制御基板１５０がステッピングモータ２１４を逆回転方向へ駆動制御して上部装飾部品２１２を左斜め上方へ移動させ、元の位置に戻す。また、この上部装飾部品２１２の戻し動作では、例えば、特別図柄表示装置１０６の表示画面に特定の人物等を出現させ、その人物等が上部装飾部品２１２を手で持ち上げて元の位置に戻すような演出画像（映像）の表示を加えるようにしてもよい。
【００８２】
次に、以上説明した本実施形態に係るパチンコ機１０の作用について説明する。
【００８３】
上述したように、本実施形態のパチンコ機１０では、遊技盤１００の盤面１００Ａに設けられた役物装置１０５は、盤面１００Ａに露出された下部装飾部品２１０及び上部装飾部品２１２からなる装飾部品ユニット２００を備え、上部装飾部品２１２が移動機構により盤面１００Ａに沿って移動されることで、下部装飾部品２１０及び上部装飾部品２１２が組み合わせられて一体化した形状、及び、分割した形状に変形される。
【００８４】
このように、遊技盤面に露出した複数の構成部品における少なくとも１つが可動するこの装飾部品ユニット２００を備えた役物装置１０５では、可動部（上部装飾部品２１２）が遊技盤面に沿って移動することで、一体化した形状、及び、分割した形状に変形するという斬新な演出動作をするようになり、この役物装置１０５の変形動作を目視する遊技者に対して視覚的に強いインパクトが与えられるようになる。したがって、この役物装置１０５の演出動作により、パチンコ機１０における遊技の興趣を高めることができる。
【００８５】
また、本実施形態の役物装置１０５では、一体化した形状から分割した形状へ変形する際に、下部装飾部品２１０が移動する分だけ遊技盤面で占める面積が拡大される。このように、役物装置１０５が分割変形に伴って遊技盤面での占有面積を拡大させることにより、分割変形時の視覚効果を増大させることができ、遊技者に対して更に強いインパクトが与えられるようになる。
【００８６】
また、本実施形態では、上記の装飾部品ユニット２００を遊技盤面（遊技領域１０１）の略中央に配置された役物装置１０５に設けていることにより、装飾部品ユニット２００の変形による演出動作が遊技盤面の略中央において行われる。このように、遊技者の視線が集中しやすい遊技盤面の略中央で斬新な演出動作を行うことにより、視覚効果を増すことができ、遊技者の興味を強く引き付けられるようになる。
【００８７】
また、本実施形態のように、遊技盤面の略中央に配置された役物装置１０５は、遊技盤面の他の領域に設けられた他の部品よりも大型に構成できるため、装飾部品ユニット２００の大型化も容易となる。このように、大きな装飾部品ユニット２００を変形させる演出動作であれば、視覚効果を更に増すことができて、遊技者に与えるインパクトが更に強められる。
【００８８】
また、本実施形態のように、遊技球を遊技盤面の左側から盤面上部に打ち込み自重落下させて遊技を行うパチンコ機１０では、一般的に、遊技球が遊技盤面における左側領域を落下するように発射力を調整し、その左側領域を使って遊技が行われる。そのため、遊技盤面の右側領域は、左側領域よりも遊技における重要性が低くなる。この遊技盤面の右側領域を利用して、装飾部品ユニット２００の変形動作を行うことにより、可動部（上部装飾部品２１２）の移動距離を大きくしたり、可動部に複雑な移動をさせるなどが容易となり、装飾部品ユニット２００の変形動作（可動部の移動）における自由度が高まる。これにより、興趣の高い演出を生み出すことができる。
【００８９】
また、本実施形態では、上記の演出動作を行うために役物装置１０５に設ける複数の構成部品を装飾部品（下部装飾部品２１０及び上部装飾部品２１２）としていることにより、役物装置１０５の装飾性を高めつつ、その装飾部品を使った演出動作の視覚効果を更に高めることができる。
【００９０】
また、本実施形態の役物装置１０５による演出動作では、主制御基板１５０は、表示制御基板１６０及びステッピングモータ２１４を制御して、特別図柄表示装置１０６に表示された被画像表示物の動作と、装飾部品ユニット２００の変形動作とを連動させている。このように、装飾部品ユニット２００の変形動作に、特別図柄表示装置１０６に表示された被画像表示物の動作を連動させることで、各動作の相乗効果により視覚効果及び演出性が更に高められる。特に、本実施形態では、一体化された装飾部品ユニット２００が分割変形するのに伴い、特別図柄表示装置１０６も分割されるような視覚効果が得られ、遊技者に対して役物装置１０５が分解する（斬り落とされる）ような印象を与える斬新な演出を生み出すことができる。
【００９１】
以上、本発明を上述した特定の実施形態により詳細に説明したが、本発明はそれに限定されるものではなく、本発明の範囲内にて他の種々の形態が実施可能である。
【００９２】
例えば、上述した実施形態では、演出動作を行うために遊技盤面に設ける可動部として、遊技盤面の略中央に配置された役物装置（センター役物）１０５に可動式の装飾部品ユニット２００を設けた場合を例に説明したが、この可動部は、上記の役物装置１０５に設けたものに限らず、遊技盤面の中央以外に配置された役物装置や飾り部品等に設けてもよい。
【００９３】
また、装飾部品ユニット２００を分割可能に構成するための構成部品は、上述したように２個（下部装飾部品２１０及び上部装飾部品２１２）に限らず、３個以上としてもよい。また、装飾部品ユニット２００の分割変形動作としては、上述したように、可動側の部品（上部装飾部品２１２）が固定側の部品（下部装飾部品２１０）に対して分割線Ｌに沿って相対移動するものに限らず、例えば、可動側の部品が固定側の部品から離間するような動作でもよい。
【図面の簡単な説明】
【００９４】
【図１】本発明の一実施形態に係るパチンコ機を示す正面図である。
【図２】図１のパチンコ機における内枠、ガラス枠、及び遊技盤を示す正面側から見た斜視図である。
【図３】本発明の一実施形態に係る遊技盤の遊技領域を示す正面図である。
【図４】図３の４−４線断面図である。
【図５】図４に示される本発明の一実施形態に係る役物装置の分解状態を示す断面図である。
【図６】本発明の一実施形態に係る役物装置に設けられた上部装飾部品の移動機構を示す斜視図である。
【図７】（Ａ）は役物装置に設けられた装飾部品ユニットが一体化した状態を示す裏面図、（Ｂ）は装飾部品ユニットが分割した状態を示す裏面図である。
【図８】本発明の一実施形態に係るパチンコ機の制御系の概略構成を示すブロック図である。
【図９】本発明の一実施形態に係る役物装置の演出動作を説明する図で、装飾部品ユニットが一体化した状態を示す正面図である。
【図１０】本発明の一実施形態に係る役物装置の演出動作を説明する図で、装飾部品ユニットが分割した状態を示す正面図である。
【符号の説明】
【００９５】
１０   パチンコ機
１００ 遊技盤
１００Ａ      盤面（遊技盤面）
１０１ 遊技領域
１０５ 役物装置
１０６ 特別図柄表示装置（表示手段）
１０８ 液晶表示器（表示手段）
１５０ 主制御基板（動作制御手段）
１６０ 表示制御基板（表示制御手段）
２００ 装飾部品ユニット（ユニット部品）
２０２ セット板
２１０ 下部装飾部品（構成部品／少なくとも１つの構成部品／装飾部品）
２１２ 上部装飾部品（構成部品／装飾部品）
２１４ ステッピングモータ（移動手段）
２２４ 駆動ギア（移動手段）
２２６ 大径ギア（移動手段）
２２８ 回転軸（移動手段）
２３２ 小径ギア（移動手段）
２３４ 下ギア（移動手段）
２３６ 中間ギア（移動手段）
２３８ 上ギア（移動手段）
２４０、２４２       ラック（移動手段）
Ｌ     分割線
【図１】
2006187330.tif 000003
【図２】
2006187330.tif 000004
【図３】
2006187330.tif 000005
【図４】
2006187330.tif 000006
【図５】
2006187330.tif 000007
【図６】
2006187330.tif 000008
【図７】
2006187330.tif 000009
【図８】
2006187330.tif 000010
【図９】
2006187330.tif 000011
【図１０】
2006187330.tif 000012